【事件の表示】
　特願２０１３−２４１５５９号「遊技機」拒絶査定不服審判事件〔平成２６年　７月１０日出願公開、特開２０１４−１２８５９５号〕について、次のとおり審決する。
【結　論】
　本件審判の請求は、成り立たない。
【理　由】
１　手続の経緯
　本願は、平成２２年５月１８日に出願された特願２０１０−１１４７１０号の一部を平成２５年１１月２２日に新たに特許出願したものであって、平成２６年９月３日付けで拒絶理由通知がなされ、平成２６年１１月７日付けで意見書及び手続補正書が提出されたが、平成２７年６月１日付けで拒絶査定がなされ、これに対し平成２７年９月４日付けで拒絶査定不服審判の請求がされるとともに、手続補正書が提出されたものである。
２　本願発明
　平成２７年９月４日付け手続補正書は、明細書の段落【００７９】を補正するものであるから、本願の請求項１〜３に係る発明は、平成２６年１１月７日付け手続補正書により補正された特許請求の範囲の請求項１〜３に記載された事項により特定されるものと認められるところ、その請求項１に係る発明（以下、「本願発明」という。）は次のとおりのものである。ただし、記号は審判請求書の分説に対応させ当審にて付した。記号の付されていない冒頭の構成はＯとした。
「【請求項１】
Ｏ　所定条件の成立にもとづいて遊技者にとって有利な有利状態に制御する遊技機であって、
Ａ　前記遊技機への電力供給が停止しても記憶内容を所定期間保持可能な記憶手段と、
Ｂ　操作に応じて操作信号を出力する初期化操作手段と、
Ｃ　電力供給が開始されたときに、前記初期化操作手段からの前記操作信号が入力されたことにもとづいて、前記記憶手段の記憶内容を初期化する初期化処理を実行する初期化処理実行手段と、
Ｄ　エラーが発生しているか否かを判定するエラー判定手段と、
Ｅ　少なくとも、前記初期化処理実行手段によって前記初期化処理が実行されたこと、および前記エラー判定手段によってエラーが発生していると判定されたことを含む信号出力条件が成立したことにもとづいて、セキュリティ信号を出力するセキュリティ信号出力手段と、
Ｆ　前記エラー判定手段によってエラーが発生していると判定されたことにもとづいてエラー報知を実行するエラー報知実行手段とを備え、
Ｇ　前記エラー判定手段は、エラーとして、異常入賞の発生と異常磁気を検出したか否かとを判定可能であり、
Ｈ　前記セキュリティ信号出力手段は、前記初期化処理実行手段によって前記初期化処理が実行されたときと前記エラー判定手段によってエラーが発生していると判定されたときとで、前記遊技機に設けられた共通の出力端子から前記セキュリティ信号を出力する
　ことを特徴とする遊技機。」
（１）刊行物
　原査定の拒絶の理由において提示された、本願の出願遡及日前に頒布された刊行物である特開２００９−６１００３号公報（以下、「刊行物１」という。）には、図面と共に次の事項が記載されている（下線は審決にて付した。以下、同じ。）。
ア　「【請求項１】
　遊技球を用いて所定の遊技を行うことが可能な遊技機であって、
　遊技球が進入可能な開放状態と遊技球が進入不可能な閉鎖状態とに変化可能な可変入賞装置と、
　所定の開放条件が成立したときに前記可変入賞装置を閉鎖状態から開放状態に変化させる可変入賞装置制御手段と、
　前記可変入賞装置に進入した遊技球を検出して入賞検出信号を出力する入賞検出手段と、
　
前記可変入賞装置制御手段によって前記可変入賞装置が開放状態に制御されていないときに、前記入賞検出手段が前記入賞検出信号を出力したことにもとづいて、異常入賞が発生したと判定する異常入賞判定手段と、
　当該遊技機において前記異常入賞と異なる所定の異常状態が発生したか否かを判定する異常状態判定手段と、
　
前記異常入賞判定手段によって異常入賞が発生したと判定されたことまたは前記異常状態判定手段によって所定の異常状態が発生したと判定されたことにもとづいて、当該遊技機の外部に設けられている外部装置に所定の異常信号を出力するための外部出力手段とを備え、
　前記外部出力手段は、前記異常入賞判定手段によって異常入賞が発生したと判定されたときと前記異常状態判定手段によって所定の異常状態が発生したと判定されたときとで、当該遊技機に設けられた共通の出力端子に前記所定の異常信号を出力可能とした
　ことを特徴とする遊技機。
・・・
【請求項５】
　遊技の進行を制御し、可変入賞装置制御手段、異常入賞判定手段、異常状態判定手段および外部出力手段を含み、演出用の電気部品を制御させるための演出制御コマンドを出力する遊技制御手段と、
　前記遊技制御手段が出力した前記演出制御コマンドに応じて演出用の電気部品を制御する演出制御手段とを備え、
　前記遊技制御手段は、前記演出制御コマンドを前記演出制御手段に出力するコマンド出力手段を含み、
　
前記コマンド出力手段は、異常入賞判定手段によって異常入賞が発生したと判定されたときまたは異常状態判定手段によって所定の異常状態が発生したと判定されたときに、前記演出制御手段に対して所定の異常コマンドを出力し、
　
前記演出制御手段は、前記コマンド出力手段によって出力された前記所定の異常コマンドにもとづいて、異常入賞が発生したことまたは異常状態が発生したことを示す異常報知を実行する異常報知手段を含む
　請求項１から請求項４のうちのいずれかに記載の遊技機。」
イ　「【０００１】
　本発明は、遊技球を用いて所定の遊技を行うことが可能な
遊技機
ウ　「【０００８】
　そこで、本発明は、
異常入賞の発生および遊技機の状態異常の発生など複数の異常が発生したことを外部装置に出力できるとともに、外部装置に情報を出力するための機構の部品数の増加や配線作業の複雑化を防ぐ
【課題を解決するための手段】
【０００９】
　本発明による遊技機は、遊技球を用いて所定の遊技を行うことが可能な遊技機であって、遊技球が進入可能な開放状態と遊技球が進入不可能な閉鎖状態とに変化可能な可変入賞装置（例えば、特別可変入賞球装置２０、可変入賞球装置１５）と、所定の開放条件が成立（例えば、特別図柄の可変表示結果が大当りとなって大当り遊技状態に移行したこと、普通図柄の可変表示結果が当りとなったこと）したときに可変入賞装置を閉鎖状態から開放状態に変化させる可変入賞装置制御手段（例えば、遊技制御用マイクロコンピュータ５６０におけるステップＳ１４７６を実行する部分。遊技制御用マイクロコンピュータ５６０におけるステップＳ４１７１を実行して可変入賞球装置１５を開放状態に制御する部分）と、可変入賞装置に進入した遊技球を検出して入賞検出信号を出力する入賞検出手段（例えば、カウントスイッチ２３、第２始動口スイッチ１４ａ）と、可変入賞装置制御手段によって可変入賞装置が開放状態に制御されていないときに、入賞検出手段が入賞検出信号を出力したことにもとづいて、異常入賞が発生したと判定する異常入賞判定手段（例えば、遊技制御用マイクロコンピュータ５６０におけるステップＳ２５５〜Ｓ２５９，Ｓ２６３を実行する部分。ステップＳ２６７〜Ｓ２７１，Ｓ２７５を実行する部分）と、
遊技機において異常入賞と異なる所定の異常状態（例えば、磁気異常、振動異常、異常開放）が発生したか否かを判定する異常状態判定手段
外部出力手段は、異常入賞判定手段によって異常入賞が発生したと判定されたときと異常状態判定手段によって所定の異常状態が発生したと判定されたときとで、
共通のコネクタＣＮ９を用いて異常信号をホールコンピュータに出力する
エ　「【００４４】
　また、図１に示すように、可変入賞球装置１５の下方には、特別可変入賞球装置２０が設けられている。特別可変入賞球装置２０は開閉板を備え、
第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）において
入賞領域となる大入賞口が開放状態になる
オ　「【００７６】
　また、ＲＡＭ５５は、その一部または全部が電源基板において作成されるバックアップ電源によってバックアップされているバックアップＲＡＭである。すなわち、
遊技機に対する電力供給が停止しても、所定期間
は、ＲＡＭ５５の一部または全部の内容は保存される
・・・
【００７８】
　さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。また、
遊技制御用マイクロコンピュータ５６０の入力ポートには、ＲＡＭの内容をクリアすることを指示するためのクリアスイッチが操作されたことを示すクリア信号が入力される
カ　「【０１１５】
　入力ポート２のビット０，１には、それぞれ、電源基板からの電源断信号およびクリアスイッチの検出信号（クリア信号）が入力される。電源断信号は、電源基板に搭載されている電源監視回路が所定電圧の低下を検出したときに出力する信号である。
クリアスイッチは遊技店員等が操作可能なスイッチあり、ＲＡＭ５５を初期化したいときに操作されるスイッチである
キ　「【０１３４】
　
遊技機に対して電源が投入され電力供給が開始されると、リセット信号が入力されるリセット端子の入力レベルがハイレベルになり、
ＣＰＵ５６
は、
メイン処理を開始する
・・・
【０１３６】
　次いで、
ＣＰＵ５６は、
クリアスイッチ
の出力信号の状態を確認する
その確認においてオンを検出した場合には、
通常の初期化処理を実行する
【０１３７】
　クリアスイッチがオンの状態でない場合には、遊技機への電力供給が停止したときにバックアップＲＡＭ領域の
データ保護処理
が行われていないことを確認したら、ＣＰＵ５６は初期化処理を実行する。
【０１３８】
　電力供給停止時処理が行われたことを確認したら、ＣＰＵ５６は、バックアップＲＡＭ領域のデータチェックを行う（ステップＳ８）。この実施の形態では、データチェックとしてパリティチェックを行う。よって、ステップＳ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、
電力供給の停止からの復旧時でない電源投入時に実行される初期化処理
ク　「【０１４２】
　
初期化処理では、
ＲＡＭクリア処理を行う（ステップＳ１０）。
ケ　「【０７８６】
　また、上記に示した実施の形態において、
主基板３１側でリセット信号が入力され初期化処理が実行されてバックアップＲＡＭがクリアされたときから所定期間にも、情報端子盤３４を介して、
信号を外部出力する
この場合、
異常信号と同じ信号を外部出力する
コ　上記キの段落【０１３４】の「
遊技機に対して電源が投入され電力供給が開始されると、リセット信号が入力されるリセット端子の入力レベルがハイレベルになり、
ＣＰＵ５６
は、
メイン処理を開始する
ＣＰＵ５６は、
クリアスイッチ
の出力信号の状態を確認する
その確認においてオンを検出した場合には、
通常の初期化処理を実行する
初期化処理では、
ＲＡＭクリア処理を行う（ステップＳ１０）。
　よって、刊行物１には、「
遊技機に対して電源が投入され電力供給が開始され、リセット信号が入力されるリセット端子の入力レベルがハイレベルになると、メイン処理を開始し、クリアスイッチの出力信号の状態を確認し、その確認においてオンを検出した場合には、通常の初期化処理を実行し、初期化処理では、ＲＡＭクリア処理を行いＲＡＭ５５をクリアするＣＰＵ５６
サ　上記ケの段落【０７８６】には、「また、上記に示した実施の形態において、
主基板３１側でリセット信号が入力され初期化処理が実行されてバックアップＲＡＭがクリアされたときから所定期間にも、情報端子盤３４を介して、
信号を外部出力する
この場合、
異常信号と同じ信号を外部出力する
　したがって、刊行物１には、「
主基板３１側でリセット信号が入力され初期化処理が実行されてバックアップＲＡＭがクリアされたときから所定期間にも、情報端子盤３４を介して、異常信号と同じ信号を外部出力する
シ  上記アの請求項１の「前記異常入賞判定手段によって異常入賞が発生したと判定されたことまたは前記異常状態判定手段によって所定の異常状態が発生したと判定されたことにもとづいて、当該遊技機の外部に設けられている外部装置に所定の異常信号を出力するための外部出力手段」との記載より、異常信号を外部出力するのは「外部出力手段」であるので、上記ケの段落【０７８６】の「主基板３１側でリセット信号が入力され初期化処理が実行されてバックアップＲＡＭがクリアされたときから所定期間にも、情報端子盤３４を介して、初期化が行われたことを示す信号を外部出力するようにしてもよい。この場合、初期化処理が実行されたことにもとづいて、異常入賞や始動異常入賞、磁気異常、振動異常、異常開放が検出されたときに出力する異常信号と同じ信号を外部出力するようにしてもよい」との記載において、
「異常信号と同じ信号」を外部出力するのは、「外部出力手段」であるといえる。
ス　上記アの請求項５の「前記演出制御手段は、前記コマンド出力手段によって出力された前記所定の異常コマンドにもとづいて、異常入賞が発生したことまたは異常状態が発生したことを示す異常報知を実行する異常報知手段を含む」との記載より、刊行物１には、「
前記コマンド出力手段によって出力された前記所定の異常コマンドにもとづいて、異常入賞が発生したことまたは異常状態が発生したことを示す異常報知を実行する異常報知手段
セ　上記ウの段落【０００９】の「遊技機において異常入賞と異なる所定の異常状態（例えば、磁気異常、振動異常、異常開放）が発生したか否かを判定する異常状態判定手段」との記載より、
異常状態判定手段は、異常磁気が発生したか否かを判定する
ソ　上記ア〜ケの記載事項及び上記コ〜セの認定事項から、刊行物１には以下の発明（以下、「引用発明」という。）が記載されていると認められる。ただし、記号ｏ〜ｈは本願発明のＯ〜Ｈに対応させて付した。
「ｏ　第１特別図柄表示器８ａに特定表示結果（大当り図柄）が導出表示されたときと、第２特別図柄表示器８ｂに特定表示結果（大当り図柄）が導出表示されたときに、入賞領域となる大入賞口が開放状態になる特定遊技状態（大当り遊技状態）が生起する遊技機であって、（0001, 0044）
ａ　遊技機に対する電力供給が停止しても、所定期間は一部または全部の内容は保存されるＲＡＭ５５と、（0076）
ｂ　ＲＡＭ５５を初期化したいときに遊技店員等が操作可能なクリアスイッチであり、操作されたことを示すクリア信号が遊技制御用マイクロコンピュータ５６０の入力ポートに入力されるクリアスイッチと、（0115, 0078）
ｃ　遊技機に対して電源が投入され電力供給が開始され、リセット信号が入力されるリセット端子の入力レベルがハイレベルになると、メイン処理を開始し、クリアスイッチの出力信号の状態を確認し、その確認においてオンを検出した場合には、通常の初期化処理を実行し、初期化処理では、ＲＡＭクリア処理を行いＲＡＭ５５をクリアするＣＰＵ５６と、（0134, 0136, 0142, コ）
ｄ　前記可変入賞装置制御手段によって前記可変入賞装置が開放状態に制御されていないときに、前記入賞検出手段が前記入賞検出信号を出力したことにもとづいて、異常入賞が発生したと判定する異常入賞判定手段と、当該遊技機において前記異常入賞と異なる所定の異常状態が発生したか否かを判定する異常状態判定手段と、（請求項１）
ｅ　主基板３１側でリセット信号が入力され初期化処理が実行されてバックアップＲＡＭがクリアされたときから所定期間に、情報端子盤３４を介して、異常信号と同じ信号を外部出力し、（サ, シ）
　前記異常入賞判定手段によって異常入賞が発生したと判定されたことまたは前記異常状態判定手段によって所定の異常状態が発生したと判定されたことにもとづいて、当該遊技機の外部に設けられている外部装置に所定の異常信号を出力するための外部出力手段と、（請求項１）
ｆ　異常入賞判定手段によって異常入賞が発生したと判定されたときまたは異常状態判定手段によって所定の異常状態が発生したと判定されたときに、前記演出制御手段に対して所定の異常コマンドを出力するコマンド出力手段と、前記コマンド出力手段によって出力された前記所定の異常コマンドにもとづいて、異常入賞が発生したことまたは異常状態が発生したことを示す異常報知を実行する異常報知手段とを備え、（請求項５, ス）
ｇ　異常状態判定手段は、異常磁気が発生したか否かを判定し、（0009, セ）
ｈ　外部出力手段は、異常入賞判定手段によって異常入賞が発生したと判定されたときと異常状態判定手段によって所定の異常状態が発生したと判定されたときとで、共通のコネクタＣＮ９を用いて異常信号をホールコンピュータに出力する　（0009）
　遊技機。」
（２）対比・判断
　本願発明と引用発明とを分説に従い対比する。
（ｏ）引用発明の構成ｏと本願発明の構成Ｏとを対比する。
　引用発明の「第１特別図柄表示器８ａに特定表示結果（大当り図柄）が導出表示されたときと、第２特別図柄表示器８ｂに特定表示結果（大当り図柄）が導出表示されたとき」は、本願発明の「所定条件の成立」に相当し、引用発明の「入賞領域となる大入賞口が開放状態になる特定遊技状態（大当り遊技状態）」は遊技者にとって有利であることは明らかなので、本願発明の「遊技者にとって有利な有利状態」に相当する。
　したがって、引用発明の「第１特別図柄表示器８ａに特定表示結果（大当り図柄）が導出表示されたときと、第２特別図柄表示器８ｂに特定表示結果（大当り図柄）が導出表示されたときに、入賞領域となる大入賞口が開放状態になる特定遊技状態（大当り遊技状態）が生起する遊技機」は、本願発明の「所定条件の成立にもとづいて遊技者にとって有利な有利状態に制御する遊技機」に相当する。
（ａ）引用発明の構成ａと本願発明の構成Ａとを対比する。
　引用発明の「ＲＡＭ５５」は、本願発明の「記憶手段」に相当するので、引用発明の「遊技機に対する電力供給が停止しても、所定期間は一部または全部の内容は保存されるＲＡＭ５５」は、本願発明の「前記遊技機への電力供給が停止しても記憶内容を所定期間保持可能な記憶手段」に相当する。
（ｂ）引用発明の構成ｂと本願発明の構成Ｂとを対比する。
　引用発明の「クリアスイッチ」は、「ＲＡＭ５５を初期化したいときに遊技店員等が操作」するものであるから、本願発明の「初期化操作手段」に相当し、引用発明において、クリアスイッチが操作されると遊技制御用マイクロコンピュータ５６０の入力ポートに入力される「クリア信号」は、クリアスイッチの操作に応じて出力されることは明らかであるから、本願発明の操作に応じて出力される「操作信号」に相当する。
　したがって、引用発明の「ＲＡＭ５５を初期化したいときに遊技店員等が操作可能なクリアスイッチであり、操作されたことを示すクリア信号が遊技制御用マイクロコンピュータ５６０の入力ポートに入力されるクリアスイッチ」は、本願発明の「操作に応じて操作信号を出力する初期化操作手段」に相当する。
（ｃ）引用発明の構成ｃと本願発明の構成Ｃとを対比する。
　上記（ａ）、（ｂ）に記載したとおり、引用発明の「クリアスイッチ」、「クリア信号」、「ＲＡＭ５５」は、本願発明の「初期化操作手段」、「操作信号」、「記憶手段」にそれぞれ相当するので、引用発明の「「クリアスイッチの出力信号」の・・・オンを検出」することは、本願発明の「「初期化操作手段からの操作信号」が入力されたこと」に相当し、また、引用発明の「ＲＡＭ５５をクリアする」ことは、本願発明の「記憶手段の記憶内容を初期化する」ことに相当する。
　また、引用発明の「ＣＰＵ５６」は、初期化処理を実行し、ＲＡＭ５５をクリアするのであるから、本願発明の「初期化処理実行手段」の機能を有することは明らかである。
　したがって、引用発明の「遊技機に対して電源が投入され電力供給が開始され、リセット信号が入力されるリセット端子の入力レベルがハイレベルになると、メイン処理を開始し、クリアスイッチの出力信号の状態を確認し、その確認においてオンを検出した場合には、通常の初期化処理を実行し、初期化処理では、ＲＡＭクリア処理を行いＲＡＭ５５をクリアするＣＰＵ５６」は、本願発明の「電力供給が開始されたときに、前記初期化操作手段からの前記操作信号が入力されたことにもとづいて、前記記憶手段の記憶内容を初期化する初期化処理を実行する初期化処理実行手段」に相当する。
（ｄ）引用発明の構成ｄと本願発明の構成Ｄとを対比する。
　引用発明の「「異常入賞」及び「異常入賞と異なる所定の異常状態」」は、本願発明の「エラー」に相当する。
　したがって、引用発明の「前記可変入賞装置制御手段によって前記可変入賞装置が開放状態に制御されていないときに、前記入賞検出手段が前記入賞検出信号を出力したことにもとづいて、異常入賞が発生したと判定する異常入賞判定手段」及び「当該遊技機において前記異常入賞と異なる所定の異常状態が発生したか否かを判定する異常状態判定手段」は、本願発明の「エラーが発生しているか否かを判定するエラー判定手段」に相当する。
（ｅ）引用発明の構成ｅと本願発明の構成Ｅとを対比する。
　引用発明の「「異常入賞判定手段」及び「異常状態判定手段」」、「「異常入賞」及び「所定の異常状態」」は、本願発明の「エラー判定手段」、「エラー」にそれぞれ相当するので、引用発明の「前記異常入賞判定手段によって異常入賞が発生したと判定されたことまたは前記異常状態判定手段によって所定の異常状態が発生したと判定されたこと」にもとづいて出力される「異常信号」は、本願発明の「エラー判定手段によってエラーが発生していると判定されたことを含む信号出力条件が成立したこと」にもとづいて出力される「セキュリティ信号」に相当する。
　そうすると、引用発明の「初期化処理」の実行にもとづいて出力される「異常信号と同じ信号」は、「異常信号」のことであるから、本願発明の「セキュリティ信号」に相当するといえる。
　ただし、上記（１）サに記載したとおり、引用発明の構成ｅにおける「初期化処理」は、クリアスイッチのオンが検出された場合の「初期化処理」である「初期化処理Ａ」、すなわち、本願発明の「前記初期化処理実行手段」により、「前記初期化操作手段からの前記操作信号が入力されたことにもとづいて」実行されるものであるか否かは不明である。
　したがって、引用発明の「主基板３１側でリセット信号が入力され、初期化処理が実行されてバックアップＲＡＭがクリアされたときから所定期間に、情報端子盤３４を介して、異常信号と同じ信号を外部出力し、前記異常入賞判定手段によって異常入賞が発生したと判定されたことまたは前記異常状態判定手段によって所定の異常状態が発生したと判定されたことにもとづいて、当該遊技機の外部に設けられている外部装置に所定の異常信号を出力するための外部出力手段」は、本願発明の「少なくとも、前記初期化処理実行手段によって前記初期化処理が実行されたこと、および前記エラー判定手段によってエラーが発生していると判定されたことを含む信号出力条件が成立したことにもとづいて、セキュリティ信号を出力するセキュリティ信号出力手段」と、「少なくとも、初期化処理が実行されたこと、および前記エラー判定手段によってエラーが発生していると判定されたことを含む信号出力条件が成立したことにもとづいて、セキュリティ信号を出力するセキュリティ信号出力手段」という点で共通している。
（ｆ）引用発明の構成ｆと本願発明の構成Ｆとを対比する。
　引用発明の「「異常入賞判定手段」及び「異常状態判定手段」」、「「異常入賞」及び「所定の異常状態」」、「異常報知」は、本願発明の「エラー判定手段」、「エラー」、「エラー報知」にそれぞれ相当し、引用発明は、「異常入賞判定手段によって異常入賞が発生したと判定されたときまたは異常状態判定手段によって所定の異常状態が発生したと判定されたとき」に、「コマンド出力手段」と「異常報知手段」により、「異常報知」を実行している。
　したがって、引用発明の「異常入賞判定手段によって異常入賞が発生したと判定されたときまたは異常状態判定手段によって所定の異常状態が発生したと判定されたときに、前記演出制御手段に対して所定の異常コマンドを出力するコマンド出力手段と、前記コマンド出力手段によって出力された前記所定の異常コマンドにもとづいて、異常入賞が発生したことまたは異常状態が発生したことを示す異常報知を実行する異常報知手段」は、本願発明の「前記エラー判定手段によってエラーが発生していると判定されたことにもとづいてエラー報知を実行するエラー報知実行手段」に相当する。
（ｇ）引用発明の構成ｇと本願発明の構成Ｇとを対比する。
　引用発明の「異常状態判定手段」は、本願発明の「エラー判定手段」に含まれている。そして、引用発明の「異常状態判定手段」は、「異常磁気」が発生したか否か判定するので、「異常磁気」を判定可能であることは明らかである。
　したがって、引用発明の「異常状態判定手段は、異常磁気が発生したか否かを判定」することは、本願発明の「前記エラー判定手段は、エラーとして、異常入賞の発生と異常磁気を検出したか否かとを判定可能であ」ることに相当する。
（ｈ）引用発明の構成ｈと本願発明の構成Ｈとを対比する。
　引用発明の「外部出力手段」、「「異常入賞判定手段」及び「異常状態判定手段」」、「「異常入賞」及び「所定の異常状態」」、「異常信号」、「共通のコネクタＣＮ９」は、本願発明の「セキュリティ信号出力手段」、「エラー判定手段」、「エラー」、「セキュリティ信号」、「共通の出力端子」にそれぞれ相当する。
　したがって、引用発明の「外部出力手段は、異常入賞判定手段によって異常入賞が発生したと判定されたときと異常状態判定手段によって所定の異常状態が発生したと判定されたときとで、共通のコネクタＣＮ９を用いて異常信号をホールコンピュータに出力する」ことは、「前記セキュリティ信号出力手段は、前記エラー判定手段によってエラーが発生していると判定されたとき、前記遊技機に設けられた共通の出力端子から前記セキュリティ信号を出力」する点で、本願発明と共通しているといえる。
　上記対比（ｏ）〜（ｈ）より、本願発明と引用発明は次の点で一致している。
「Ｏ　所定条件の成立にもとづいて遊技者にとって有利な有利状態に制御する遊技機であって、
Ａ　前記遊技機への電力供給が停止しても記憶内容を所定期間保持可能な記憶手段と、
Ｂ　操作に応じて操作信号を出力する初期化操作手段と、
Ｃ　電力供給が開始されたときに、前記初期化操作手段からの前記操作信号が入力されたことにもとづいて、前記記憶手段の記憶内容を初期化する初期化処理を実行する初期化処理実行手段と、
Ｄ　エラーが発生しているか否かを判定するエラー判定手段と、
Ｅ’少なくとも、初期化処理が実行されたこと、および前記エラー判定手段によってエラーが発生していると判定されたことを含む信号出力条件が成立したことにもとづいて、セキュリティ信号を出力するセキュリティ信号出力手段と、
Ｆ　前記エラー判定手段によってエラーが発生していると判定されたことにもとづいてエラー報知を実行するエラー報知実行手段とを備え、
Ｇ　前記エラー判定手段は、エラーとして、異常入賞の発生と異常磁気を検出したか否かとを判定可能であり、
Ｈ’前記セキュリティ信号出力手段は、前記エラー判定手段によってエラーが発生していると判定されたとき、前記遊技機に設けられた共通の出力端子から前記セキュリティ信号を出力する
　遊技機。」
　そして、本願発明と引用発明は、Ｅ’、Ｈ’に関する次の点で相違している。
（相違点１）
　初期化処理が実行されたことにもとづいて、セキュリティ信号を出力するセキュリティ信号出力手段に関して、当該初期化処理が、本願発明では、「電力供給が開始されたときに、前記初期化操作手段からの前記操作信号が入力されたこと」にもとづくものであるのに対し、引用発明は、初期化操作手段の操作にもとづくものであるか否か不明である点。
（相違点２）
　本願発明は、電力供給が開始されたときに、前記初期化操作手段からの前記操作信号が入力されたことにもとづいて、前記初期化処理が実行されたときに出力されるセキュリティ信号を、前記エラー判定手段によってエラーが発生していると判定されたときと「共通の出力端子」から出力するのに対し、引用発明は、初期化処理が実行されたときに出力されるセキュリティ信号を、前記エラー判定手段によってエラーが発生していると判定されたときと「共通の出力端子」から出力するか否か不明である点。
ア　相違点１、２は関連しているので、まとめて検討する。
　まず、請求人は、審判請求書の「（４）本願発明と引用文献に記載された発明との比較」において、「初期化処理が実行されたときに、異常信号と同じ信号を外部出力するように構成される場合には、外部の例えばホールコンピュータは、初期化処理が実行されたのか否か把握することができず、初期化処理を実行させて所定の乱数の初期値をねらう行為が行われたのか否か認識することはできない。「異常信号と同じ信号」を入力したときに、本来の異常信号が入力されたのか、初期化処理が実行されたことにもとづく信号が入力されたのかを区別できないからである。よって、引用文献１の段落［０７８６］には、「・・・」と記載されているが、リセット信号を不正に入力して初期化処理を実行させて所定の乱数の初期値をねらう行為を防止することができ、外部に知らせることができるためには、初期化処理が実行されたことにもとづいて、異常信号とは異なる信号を外部出力する必要がある。つまり、引用文献１の段落［０７８６］には、『初期化処理が実行されたことにもとづいて、異常信号とは異なる信号を外部出力する』ことのみが開示され、『初期化処理が実行されたことにもとづいて、異常信号と同じ信号を外部出力する』ことは、実質的に、排除されている（単に、記述が存在するにすぎない。）と解するべきである。」と主張している。
　しかしながら、刊行物１（上記「引用文献１」）の段落【０７８６】には、初期化処理が実行されたことにもとづいて、異常入賞や始動異常入賞、磁気異常、振動異常、異常開放が検出されたときに出力する異常信号と同じ信号を外部出力するようにしてもよいと記載されている。ここで、異常入賞や始動異常入賞、磁気異常、振動異常、異常開放はいずれも遊技機に対する不正の可能性がある事象であるから、異常信号は、その種類を問わず、不正が行われた可能性があることを示す信号であるといえる。そして、段落【０７８６】に記載されているように、リセット信号を不正に入力して初期化処理を実行させることも不正の一種であり、また、特に他の種類の不正と区別する必要性もない。
　したがって、引用発明は、バックアップＲＡＭをクリアする初期化処理が実行されたこと、及び、異常入賞が発生したと判定されたことにもとづいて、同じ異常信号を出力するものであるといえる。
イ　ここで、引用発明における「バックアップＲＡＭをクリアする初期化処理」は、主基板におけるＣＰＵが実行するメイン処理を示すフローチャートである【図１２】に示され、また、上記（１）サで示したとおり、「クリアスイッチのオンが検出された場合」に実行される「初期化処理Ａ」（本願発明の「前記初期化操作手段からの前記操作信号が入力されたこと」にもとづく「初期化処理」に相当）のみならず、「初期化処理Ｂ」及び「初期化処理Ｃ」においても実行される共通の処理である。
　そして、初期化処理Ａ〜Ｃにおいて共通の処理としてバックアップＲＡＭがクリアされるのであるから、バックアップＲＡＭをクリアする初期化処理が実行されたことにもとづく異常信号と同じ信号（本願発明の「セキュリティ信号」に相当）を、初期化処理Ａ〜Ｃのいずれが実行されたときにも出力するようにし、初期化操作手段の操作による初期化処理にもとづいてセキュリティ信号を出力するようにして、上記相違点１に係る本願発明の構成とすることは、当業者であれば適宜なし得た単なる設計的事項である。
ウ　また、引用発明は、「異常入賞の発生および遊技機の状態異常の発生など複数の異常が発生したことを外部装置に出力できるとともに、外部装置に情報を出力するための機構の部品数の増加や配線作業の複雑化を防ぐ」という課題（上記（１）ウの段落【０００８】を参照。）を解決するものであるから、「初期化処理Ａ」が実行された場合に出力される異常信号と同じ信号をエラーが発生していると判定されたときと「共通の端子」から出力し、上記相違点２に係る本願発明の構成とすることは、当業者が容易になし得たものである。
エ　加えて、本願の出願遡及日前の周知の事項を考慮した場合の上記相違点１、２に係る構成について以下に検討する。
　遊技機の技術分野において、電力供給が開始されたときに、初期化操作手段の操作により、記憶手段の記憶内容が初期化されたことにもとづいて、異常（エラー）が発生したときと同じ信号をホールコンピュータに出力すること、すなわち、所定のスイッチを操作して遊技機を初期化したときに、異常（エラー）が発生したときと同じ信号を外部出力することは、本願の遡及日前における周知技術である（以下、「周知の技術事項」という。例えば、特開２００７−１４３８８３号公報の段落【００２９】、【００３６】、【００４３】〜【００４６】、【００６３】〜【００６８】には、ＲＡＭクリアスイッチを操作しながら電源を投入し、ＲＡＭクリアをしたことを「報知レベル０」とし、下皿満タン、各種コネクタの抜けや断線、扉開放等の異常を「報知レベル１」とし、遊技機に対する加振を「報知レベル２」とし、異物挿入等による不正行為を「報知レベル３」とし、「報知レベル０」と「報知レベル１」を合わせて報知レベル１の異常情報として、主制御基板３００からホールコンピュータ１０に出力すること、及び、報知レベル０〜３の異常情報を１本の通信線によりホールコンピュータに出力することが記載されている。また、特開２００３−９２４号公報の段落【００２０】〜【００２２】、【００２５】、【００２６】、【００３２】には、リセットスイッチ２１を押下してパチンコ機Ｐをリセットして、主制御基板Ｃを含む各制御基板が初期化されたとき、及び、電源の投入により駆動電力の供給が開始されることで、各制御基板のリセット回路から出力されるリセット信号により、主制御基板Ｃを含む各制御基板が初期化されたときに、主制御基板ＣからホールコンピュータＨＣに「リセット実行信号」を出力すること、及び、当該「リセット実行信号」を予め用意されている「エラー情報の信号」で代替してもよいことが記載されている。）。
オ　そして、引用発明において、電力供給が開始され、初期化操作手段の操作により記憶手段の記憶内容が初期化されたときについても、上記周知の技術事項を参照することは、通常の創作範囲内のことであり、同じく初期化処理が実行されたことを示すバックアップＲＡＭをクリアする初期化処理が実行されたときと同様に、異常入賞が発生したと判定されたことにもとづいて出力される「異常信号」（本願発明の「セキュリティ信号」に相当する。）を出力するものとし、上記相違点１に係る本願発明の構成とすることは、当業者が適宜なし得たものであることは明らかである。
　さらに、この場合においても、部品数の増加や配線作業の複雑化を防ぐという引用発明の課題を考慮して、初期化操作手段の操作による初期化にもとづく異常信号を「共通の端子」から出力し、上記相違点２に係る本願発明の構成とすることは、当業者が容易になし得たものである。
カ　請求人は、審判請求書の「（４）本願発明と引用文献に記載された発明との比較」において、「また、引用文献１の段落［０００９］，［０１２３］，［０４６９］，［０４７０］，［０６２５］に、複数種類の異常（エラー）に関して、『共通のコネクタ』から異常信号を出力することが明記されているが、初期化処理が実行されたことにもとづく信号の出力については、「異常信号と同じ信号を外部出力する」としか記載されていない（引用文献１の段落［０７８６］参照）。 「異常信号と同じ信号を外部出力する」では、「共通の出力端子」から出力されるのか否か不明である。」と主張するが、上記ウ及びオでの検討のとおり、この点は、刊行物１に記載された事項、または、刊行物１に記載された事項及び上記周知の技術事項にもとづいて、当業者であれば容易に想到し得たことである。
　よって、請求人の主張は採用することができない。 
キ　また、本願発明の効果は、引用発明から予測される範囲内のものにすぎず、格別なものではない。 
（３）小括
　したがって、上記（２）において検討したように、本願発明は、当業者が引用発明に基づいて容易に発明をすることができたものである。
３　むすび
　以上のとおりであるから、本願発明は、特許法第２９条第２項の規定により特許を受けることができない。したがって、その余の請求項については検討するまでもなく、本願は拒絶されるべきものである。
　よって、結論のとおり審決する。